(57)【特許請求の範囲】
【請求項１】
室内に面する底面と、天井裏空間に面する天面と、前記底面に設けられて前記室内と本体内部とを連通させる吸込口および吹出口と、前記天面に設けられ前記本体内部と天井裏空間とを連通させる排気口と、を有する本体、
前記室内の空気を前記吸込口から吸い込む羽根、
前記天面に取り付けられた一端を中心に回動して前記羽根に吸い込まれた空気の前記吹出口への流路または前記排気口への流路のいずれか一方を塞ぐダンパーを備え、
前記ダンパーが前記羽根に吸い込まれた空気の前記吹出口への流路を塞ぐ場合には、前記ダンパーは前記天面から前記吹出口に向かって回動し、前記羽根に吸い込まれた空気は前記ダンパーより上部を通って前記排気口に流れ、
前記ダンパーが前記羽根に吸い込まれた空気の前記排気口への流路を塞ぐ場合には、前記ダンパーは前記天面に平行になって排気口を覆うことを特徴とする換気装置。
【請求項２】
ダンパーは、換気装置の運転停止時には、羽根に吸い込まれた空気の排気口への流路を塞ぐことを特徴とする請求項１に記載の換気装置。
【請求項３】
ダンパーが吹出口を覆う位置、排気口を覆う位置、ならびに前記吹出口および前記排気口のいずれも覆わない位置のいずれか一つの位置に前記ダンパーを停止させる駆動部を備えた請求項１または２のいずれかに記載の換気装置。
【請求項４】
排出口からの空気を排気するダクトと接続する排気チャンバーを備えた請求項１乃至３のいずれか１項に記載の換気装置。
【請求項５】
着脱可能な空気清浄フィルターを吸込口または吹出口に取り付けた請求項１乃至４のいずれか１項に記載の換気装置。
【発明の詳細な説明】
【０００１】
【発明の属する技術分野】
この本発明は室内空気を排出する換気装置に関するものである。
【０００２】
【従来の技術】
図８は例えば特開平１１-３０００９７号公報に示された従来の換気装置の断面図である。図８において送風羽根５１、電動機５２を有する本体５３内に風路切替用ダンパー５４を備え、排気用の排気口５５が前記本体５３の側面に設けてあり、室内側には吸込口５６、吹出口５７を有した化粧グリル５８が取り付けられている。
【０００３】
吸込口５６から送風羽根５１に吸い込まれた室内空気はダンパー５４の位置により排気口５５に流れる排気モード、吹出口５７に流れる循環モードに切り替えできる。
【０００４】
【発明が解決しようとする課題】
図８のような従来の換気装置では、排気口５５は本体５３側面に位置しダクト配管を接続する必要があり製品コストが高価で、また、ダクト配管を行なう工事費も必要なため換気装置の設置にあたり高額な費用を必要とした。
【０００５】
また、リフォーム時に換気装置を設置する場合、ダクト配管のために天井材張替え工事等を行なうと費用が莫大となることから、換気装置設置用の埋込穴だけ開けて天井裏に排気するよう換気装置を設置するが、断熱目的で天井裏に置かれている断熱材と本体側面に設けた排気口が干渉し確実な排気を行なえない場合があった。更には、ダクト接続口があるため換気装置が高価であった。
【０００６】
この発明はこれらの問題点を解決するためになされたもので、施工性に優れ、製造コストが安価な換気装置を得ることを目的としている。
【０００７】
【課題を解決するための手段】
本発明による換気装置は、室内に面する底面と、天井裏空間に面する天面と、底面に設けられて室内と本体内部とを連通させる吸込口および吹出口と、天面に設けられ本体内部と天井裏空間とを連通させる排気口とを有する本体、室内の空気を吸込口から吸い込む羽根、および一端が天面に取り付けられこの一端と中心に回動して羽根に吸い込まれた空気の吹出口への流路または排気口への流路のいずれか一方を塞ぐダンパーを備えたものであり、ダンパーが羽根に吸い込まれた空気の吹出口への流路を塞ぐ場合には、ダンパーは天面から吹出口に向かって回動し、羽根に吸い込まれた空気はダンパーより上部を通って排気口に流れ、ダンパーが羽根に吸い込まれた空気の排気口への流路を塞ぐ場合には、ダンパーは天面に平行になって排気口を覆うことを特徴とする。
【０００８】
また、ダンパーは、換気装置の運転停止時には、羽根に吸い込まれた空気の排気口への流路を塞ぐものである。
【０００９】
また、換気装置は、ダンパーが吹出口を覆う位置、排気口を覆う位置、ならびに吹出口および排気口のいずれも覆わない位置、のいずれか一つの位置にダンパーを停止させる駆動部を備えたものである。
【００１０】
また、換気装置は、排出口からの空気を排気するダクトと接続する排気チャンバーを備えたものである。
【００１１】
また、換気装置は、着脱可能な空気清浄フィルターを吸込口または吹出口に取り付けたものである。
【発明の実施の形態】
実施の形態１.
図１はこの発明の一実施例を示した換気装置１の施工断面図である。天井板１４に設けた埋込穴に送風羽根５、電動機４を有した本体２が挿入され、本体２は野縁１６に天井板１４を介して木ネジにて固定設置されている。天井板１４の天井裏側には断熱材１５が置かれている。図では２枚の断熱材１５を重ねて置いてあり厚みは約１００mmである。
【００１２】
本体２の室内側には化粧グリル３が取り付けられ化粧グリル３は吸込口９と吹出口１０とに区別されており、また、本体２内にはダンパー６が駆動部７にて開閉自由に取り付けられ、本体２の天面部１ａには排気口８が設けてあり、排気口８の開口はダンパー６にて塞がれるようになっている。天井裏空間は壁に設けた通気口により室外と通じている。
【００１３】
この例によれば吸込口９より送風羽根５に吸い込まれた室内空気はダンパー６の位置により、（イ）排気口８より天井裏に流れる排気モード（図中実線の矢印）と、（ロ）吹出口１０より室内側に流れる循環モード（図中破線の矢印）とに切替可能となっている。
【００１４】
排気時には排気口８より室内空気が排気されるが、排気口８を本体２の天面部１ａに設けているため、天井板１４の天井裏側に置かれた断熱材１５にて排気口８が塞がれることなく確実に排気できる換気装置を提供できる。なお、本体の側面部に排気口を設けた図８のような従来例では、断熱材の厚みによっては排気口が塞がれてしまい、排気が行なえなくなることがあった。
【００１５】
また、運転停止時にはダンパー６が排気口８の開口を閉じ気密を保つ構成としてあるため、天井裏の冬場の冷気、夏場の熱気が室内に侵入することがなく室内環境を快適に保つ気密性の高い換気装置を提供できる。
【００１６】
実施の形態２.
図２はこの発明の一実施例を示した換気装置１（排気チャンバー付）の施工断面図である。図３はこの発明の一実施例を示した換気装置１（排気チャンバー付）の施工断面図で断熱材１５が本体２を覆っている図である。
【００１７】
本体２の天面部１ａに設けた排気口８を覆い側面に開口部１７を形成した排気チャンバー１１が本体２に取り付けてある。また、断熱材１５が本体２を覆うように置かれており、排気チャンバー１１の開口部１７が断熱材１５と干渉しないよう施工されている。
【００１８】
この例によれば排気チャンバー１１が排気口８を覆い側面に開口部１７を形成することで、天井裏の埃等が本体２の天面部１ａに設けた排気口８から本体２内に進入することを防止できる。
【００１９】
また、図３のように断熱材１５を本体２に被せられても開口部１７が排気風路として確保されており確実に排気を行なうことができる。
【００２０】
実施の形態３.
図４はこの発明の一実施例を示した換気装置１（排気チャンバー＋ダクト接続口付）の施工断面図である。図５はこの発明の一実施例を示した換気装置１の施工断面図で、ダクト接続口１２と本体２を分離した図である。
【００２１】
天井裏に設置されたダクト配管１３は室外と通じており、ダクト接続口１２は本体２とスライドして着脱可能であり、ダクト配管１３とテーピングにて固定されている。排気時は排気口８→排気チャンバー１１→ダクト接続口１２→ダクト配管１３の経路にて室内空気が排出される（図中実線矢印）。
【００２２】
この例によればダクト接続口１２を本体２と着脱可能に設けることにより、室内排気を天井裏空間を通じて行ないたくない場合、例えば寒冷地等で天井裏空間の結露が懸念される場合には、ダクト配管１３にて排気でき住宅構造材を劣化させることなく排気を行なうことができる。また、ダクト接続口１２だけを残して本体２を室内に取り出せるためメンテナンスが容易に行なえる。
【００２３】
更には、ダクト配管１３の有無についてダクト接続口１２の有無にて対応可能なため、機種バリエーションに対し部品の共通化が行なえ製造コストを安価にできる。また、現場での施工状態変更に対しても容易に対応可能であり、製品交換の手間が掛からない。
【００２４】
実施の形態４．
図６はこの発明の一実施例を示した換気装置１の施工断面図でダンパー６が中間位置にて固定されている。ダンパー６が中間位置にて固定されており吸込口９から流入した空気は排気口８と吹出口１０に分岐される（図中実線矢印）。
【００２５】
この例によれば室内空気を排気口８と吹出口１０に分岐しているため、排気と循環機能が同時に得られ、排気による汚染空気の排出と循環による室内温度差の解消が同時に行なえ、より快適な室内環境を提供できる。
【００２６】
実施の形態５．
図７はこの発明の一実施例を示した換気装置１の施工断面図で空気清浄フィルター１８、１９が設けてある。吸込口９から送風羽根５に至る風路に空気清浄フィルター１８が設けてあり、送風羽根５から吹出口１０に至る風路に空気清浄フィルター１９が設けてある。
【００２７】
この例によれば吸込口９から送風羽根５に至る風路に空気清浄フィルター１８を設け、例えば空気清浄フィルター１８を脱臭フィルターにした場合は排気、循環の両モードにて脱臭が行なえる。室内で発生した臭い（例えばペット臭）を脱臭して排気することで隣家に臭いが届くことがない。
【００２８】
また、排気時に空気清浄フィルター１８を通して排気する必要がない場合は、空気清浄フィルター１９のみ設けることで循環モード時のみ空清を行なうことができ、フィルター寿命を延ばすことができる。
【００２９】
更には空気清浄フィルター１８，１９はどちらか１個でも、両方取り付けも可能であるため、（両方に使用目的の異なるフィルターを付ければ循環モード時にはより空清機能が高まる）使用者の要望に応じてフィルター設置位置を選択すれば良く、使い勝手の良い換気装置を提供できる。
【００３０】
【発明の効果】
本発明による換気装置によれば、排気口を本体天面部に設けることにより、断熱目的で天井裏に置かれる断熱材に干渉することがなく確実な排気を行なうことができる。また、リフォーム時にダクト配管を必要としないため、施工が容易にできる。
【００３１】
また、ダンパーが換気装置の運転停止時に排気口を塞ぐことにより、製造コストを安価に気密性の高い換気装置を得ることができる。
【００３２】
また、ダンパーが中間位置で停止することにより、排気と循環が同時に行なえ室内環境をより快適にできる。
【００３３】
また、ダクト配管と接続可能な排気チャンバーを換気装置本体に着脱可能に設けることにより、換気方式としてダクト配管有無を選択できるため、換気装置の施工可能条件を拡大できる。
【００３４】
また、換気装置の吸込口、循環吹出口それぞれに空気清浄フィルターを着脱可能にしたことにより、空気清浄を行なった快適環境を提供できる。
【図面の簡単な説明】
【図１】  この発明の一実施例による換気装置の施工断面図である。
【図２】  この発明の一実施例による換気装置（排気チャンバー付）の施工断面図である。
【図３】  この発明の一実施例による換気装置（排気チャンバー付）の施工断面図である。
【図４】  この発明の一実施例による換気装置（排気チャンバー＋ダクト接続口付）の施工断面図である。
【図５】  この発明の一実施例による換気装置の施工断面図で、ダクト接続口と本体を分離した図である。
【図６】  この発明の一実施例による換気装置の施工断面図でダンパーが中間位置にて固定されている。
【図７】  この発明の一実施例による換気装置の施工断面図で空気清浄フィルターが設けてある。
【図８】  従来の換気装置の断面図である。
【符号の説明】
１  換気装置、２  本体、３  化粧グリル、４  電動機、５  送風羽根、６  ダンパー、７  駆動部、８  排気口、９  吸込口、１０  吹出口、１１  排気チャンバー、１２  ダクト接続口、１３  ダクト配管、１４  天井板、１５  断熱材、１６  野縁、１７  開口部、１８  空気清浄フィルター、１９  空気清浄フィルター。
【図１】
0003951761.tif 000002
【図２】
0003951761.tif 000003
【図３】
0003951761.tif 000004
【図４】
0003951761.tif 000005
【図５】
0003951761.tif 000006
【図６】
0003951761.tif 000007
【図７】
0003951761.tif 000008
【図８】
0003951761.tif 000009